Podtech/llm-jp-corpus-v4-ja_patent huggingface dataset:
(57)【要約】      （修正有）【課題】フローリングされた室内、廊下等をスリッパで歩行する際、かかと部が床に着地する時音が発生していた。それが原因でマンション、アパート等では上下階の住人のトラブルの引き金ともなっていた。スリッパから発する雑音を抑える為のスリッパカバ−を提供する。【解決手段】スリッパ本体のかかと部に、円筒状に縫製された布製のカバーを外からはめ込んだ。そのカバーは円周方向にゴムが編み込まれている事により、半径方向に伸縮自在で着脱が容易である。又そのカバーはスリッパの甲受けの左右の二カ所に、それぞれ糸等で固定しずれ防止がなされる。以上により歩行のたびに発生していた音を大幅に軽減し課題を解決することが出来た。【選択図】図１
0003171763.tif 000002
【実用新案登録請求の範囲】
【請求項１】
スリッパ本体のかかと部に対して、外からはめ込まれて使用される所定長さの円筒状で、布製のスリッパカバ−であって、ゴムがその円周方向に沿って編み込まれる事によりその半径方向に伸縮自在とされたスリッパカバ−。
【請求項２】
前記スリッパカバ−の軸方向の一端部には、スリッパ本体にスリッパカバ−を固着する為の固着手段が設けられた請求項１に記載のスリッパカバ−。
【請求項３】
前記スリッパカバ−の軸方向の一端部には土踏まずのツボを刺激する為の突起物が設けられている請求項１又は２に記載のスリッパカバ−。
【考案の詳細な説明】
【技術分野】
【０００１】  本考案はフロ−リングされた部屋、廊下等をスリッパで歩行する時、スリッパが床面と接触する時に発する音を低く押さえる事に関するものである。
【背景技術】
【０００２】  人間は普通、歩行する場合かかとから着地する動きになる為、かかと部が先に床に当たり音が出ている。音をなるべく出さない様に歩くには、抜き足、差し足等不自然な歩き方をしていた。
【先行技術文献】
【特許文献】
【０００３】
【特許文献１】  登録実用新案第３００６１４４号公報
【特許文献２】  特開１９９６−２９９００７号公報
【特許文献３】  登録実用新案第３０３６７７７号公報
【特許文献４】  特開１９９９−３３２６０２号公報
【特許文献５】  登録実用新案第３１１２９９６号公報
【特許文献６】  登録実用新案第３１１６４８７号公報
【考案が解決しようとする課題】
【０００４】  フロ−リングされた室内、廊下等をスリッパで歩行する際、かかと部が床に着地する時音が発生していた。病院、施設等で就寝している病弱者にとっては大変迷惑な雑音であった。又マンション、アパ−ト等で下の階の住人には迷惑千万な話で上下階のトラブルの原因ともなっていた。そこで本考案の目的はスリッパから発する雑音を極力抑える為のスリッパカバ−を提供する事である。尚、本カバ−は消音とともに床の埃取り、又足裏のツボの刺激も可能で健康的である。
【課題を解決する為の手段】
【０００５】  この考案はスリッパ本体のかかと部分に対して外からはめ込まれて使用される所定長さの筒状で布製のスリッパカバ−であって、ゴムがその円周方向に沿って編み込まれる事によりその半径方向に伸縮自在とされたスリッパカバ−である。
【０００６】  また、前記スリッパカバ−の軸方向の一端部にはスリッパ本体にスリッパカバ−を固着する為の固着手段が設けられたスリッパカバ−である。
【０００７】  更に、前記スリッパカバ−の軸方向の一端部には、土踏まずのツボを刺激する為の突起物が設けられているスリッパカバ−である。
【考案の効果】
【０００８】  本考案はかかと部への装着だけで消音の軽減の目的は十分果たす事が出来、又スリッパを履いて歩くだけで床の塵取り、ワックス磨きにもつながる。床面にこぼれている水、液体を知らずに踏んでもかかと部の布地が滑り止めとなり安全である。
又、かかと部から出る汗をスリッパカバ−が吸収するので、スリッパ自体を清潔に保つ事が出来る。
又、スリッパカバ−の土踏まず箇所に、碁石状の突起物を入れて足裏のツボに刺激を与え健康増進を図れる。
又、スリッパカバ−は例えば両面テ−プ、面状ファスナー等でスリッパ本体に固着される為、スリッパカバ−がスリッパ本体から外れる事がない。
又、スリッパカバ−が汚れた場合は着脱が容易で洗濯が可能である。当然、現在愛用しているスリッパにも使用可能である。
【図面の簡単な説明】
【０００９】
【図１】この考案の一実施例に係る、スリッパカバ−を着けたスリッパの平面図である
【図２】この考案の一実施例に係る、スリッパカバ−を着けたスリッパの側面図である
【図３】この考案の一実施例に係る、図１のＡ−Ａの断面図である。
【図４】この考案の一実施例に係る、布地を円筒状に縫製したスリッパカバ−の斜視図である。
【図５】この考案の一実施例に係る、かかと部にあわせて内側に折り曲げたスリッパカバ−の斜視図である。
【図６】この考案の一実施例に係る、カバ−を着けていない状態のスリッパを表わした斜視図である。
【考案を実施する為の形態】
【００１０】  以下、図１〜図６を参照してこの考案のスリッパカバ−の一実施例で説明する。
【００１１】  図１〜図３に於て（１）はスリッパである。このスリッパ（１）は甲受け（２）を有している。図６のスリッパ本体（１３）には、つま先部（１１）とかかと部（１２）があり、かかと部（１２）は上面が平らで露出している。
【００１２】  図４、図５に示すようにスリッパカバ−（３）は布製の（例えば綿７０％、ポリエステル３０％）円筒形状で長さが８ｃｍ〜１３ｃｍで、折り畳んだ時の幅が３ｃｍ〜１０ｃｍである。スリッパカバ−（３）はその円周方向（９）に複数のゴム編み（７）が編み込まれている。この為スリッパカバ−（３）はその半径方向（１０）に対して伸縮自在となっている。
【００１３】  図１〜図３に示すようにスリッパカバ−（３）は図６のスリッパ本体（１３）のかかと部（１２）にはめ込まれて使用する。この時スリッパカバ−（３）の一端部は図５に示す様に内側に折り込まれて（５）いる。
【００１４】  スリッパカバ−（３）の折り込み部には２、３個の碁石（突起物）（６）が包み込まれている。この碁石（６）が土踏まずに当たってツボを刺激する。
【００１５】  また図１、図２に示すようにスリッパカバ−（３）は図６のスリッパ本体（１３）のかかと部（１２）に装着されて、かかと部（１２）の表裏全体を被う。スリッパカバ−（３）の軸方向（８）の一端部は糸での結束（４、４）に替えてクリップや面状ファスナ−を使用しても良い。更に両面テ−プでかかと部（１２）にスリッパカバ−（３）を固着しても良い。
【符号の説明】
【００１６】  １  スリッパ    ２  甲受け    ３  スリッパカバ−    ４  スリッパカバ−の固定カ所    ５  内側に折り曲げた円筒状のカバ−    ６  碁石状の突起物    ７  ゴム編み    ８  軸方向    ９  円周方向    １０  半径方向    １１  つま先部    １２  かかと部    １３  スリッパ本体
【図１】
0003171763.tif 000003
【図２】
0003171763.tif 000004
【図３】
0003171763.tif 000005
【図４】
0003171763.tif 000006
【図５】
0003171763.tif 000007
【図６】
0003171763.tif 000008
(57)【要約】      （修正有）【課題】作業上の負担を加える事無く、印版の長期利用が可能、印刷不良の防止、コストの削減、資源の有効利用に寄与できる印版保護具を提供する。【解決手段】本印版保護具を整版フイルムの端部に装着する事により印版との接触による印版切損事故は飛躍的に解消され、他の作業上の負荷を与える事無く、印刷不良の防止、印版の長期利用、コストの削減、資源の有効利用に寄与でき当該課題を解決するものである。【選択図】図３
0003171762.tif 000002
【実用新案登録請求の範囲】
【請求項１】
一辺が数センチメートルの薄くカード状にしたクッション面の対角線となる最長部付近を直線状に横断する折り曲げ罫線又は切り取り破線を施した、印版保護具。
【考案の詳細な説明】
【技術分野】
【０００１】  本考案は、ダンボール印刷用印版の損傷防止に関するものである。
【背景技術】
【０００２】  従来、ダンボールの印刷に使用する印版の素材は、その特性から弾性を備え柔らかく厚みを有する樹脂製の材質のものがその多数を占めている。
このような柔らかな印版をペット樹脂製の整版フイルムシートの指定位置に貼り付け版胴に巻き付け繰り返し使用されている。
（図１）
【考案の開示】
【考案が解決しようとする課題】
【０００３】  しかし、これでは、硬くて薄い整版フイルムの端部が鋭利な刃物状態になっており、印版の保存管理に使用しているフイルムハンガーからの出し入れの際、印版の側面と接触を重ねるうち印版に切損被害を与え、この事が印版損傷原因の最多を占めている。（図２）
【課題を解決する為の手段】
【０００４】  そこで、整版フイルム端部に本考案のクッションカバーを装着する事により印版とフイルム端部との直接接触を防止及び緩衝できるものである。（図３）
【考案の効果】
【０００５】  よって、本考案の印版保護具により、フイルムと印版との接触による印版の損傷事故は飛躍的に減少し、作業上の負担を加える事無く、印版の長期利用が可能、印刷不良の防止、コストの削減、資源の有効利用に寄与できる。
【考案を実施する為の最良の形態】
【０００６】  本考案に係る印版保護具は、図３に示すようにカード状にしたクッション材の片面に両面テープを装着し、対角線となる最長部を横断する折り曲げ用の罫線又は切り取り用の破線を施し、二つ折りにして整版フイルム端部を両側から挟み込む形で接着装着する。
素材は軽量でクッション性の有るポリエチレン製で水の浸み込み難い独立泡の発泡体が望ましい。
【図面の簡単な説明】
【０００７】
【図１】従来の整版フイルムの状態である。
【図２】印版の切損事故の状態である。
【図３】本考案の印版保護具の図である。
【符号の説明】
【０００８】Ａ    整版フイルムの止め棒
Ｂ    整版フイルムシート
Ｃ    整版フイルムの端部
Ｄ    印版
Ｅ    フイルムハンガー
Ｆ    印版保護具
Ｇ    両面テープ
Ｈ    折り曲げ罫線又は切り取り破線
【図１】
0003171762.tif 000003
【図２】
0003171762.tif 000004
【図３】
0003171762.tif 000005
(57)【要約】      （修正有）【課題】撮影時に邪魔にならず、落下や、紛失を防ぎ、カメラの出し入れ簡単な、ストラップ取り付け部有仕様デジタルカメラのカメラケースを提供する。【解決手段】ケースはブックカバー型で、左右に収納口があり、内側左右にマジックテープ（登録商標）を設ける。さらに、カメラに付属のストラップ１本でカメラとケースを繋げるための穴を有する。【選択図】図９
0003171769.tif 000002
【実用新案登録請求の範囲】
【請求項１】
本考案はストラップ取り付け部のあるカメラに取り付けたストラップが、ストラップの持ち手を止めている部品（Ａ）の大きさより小さい穴を開けたカメラケースの穴を通し、カメラ使用時に空のケースがストラップから落ちない事を特徴とし、この特徴を利用するために、出し入れしやすいカメラケースの型はブックカバー型のように、開いたら中心側から左右に収納口があり、一方にカメラ、もう一方に小物を収納でき、内側左右にマジックテープ（登録商標）を付けて閉じさせる事を特徴とするストラップ取り付け部有仕様デジタルカメラのカメラケース。
【考案の詳細な説明】
【技術分野】
【０００１】
本考案は、ストラップ取り付け部有仕様デジタルカメラとストラップで繋げる事が出来、出し入れが簡単なカメラケースに関する。
【背景技術】
【０００２】
従来カメラにストラップ取り付け部有仕様の場合は、付属にストラップが付いて、直接カメラに取り付け使用していた。また、ケースは付属でなく、各自が用意して使用していた。
【０００３】
しかしながら、カメラとケースが別になっている為、カメラを取り出そうとした時、カメラや、ケースを落下させてしまったり、シャッターチャンスで、急いで撮影しようと慌てている時はケースを紛失してしまったりと、カメラ使用時には空のケースは不要になり、かばんやポケットに収納するか、急いでいる時はそのまま手に持つなどして撮影の邪魔になるという欠点があった。
【先行技術文献】
【特許文献】
【０００４】
【特許文献１】特開２００２−３３６０２６号公報
【特許文献２】特開２００５−０６５８０５号公報
【特許文献３】特開２００６−２９６７７８号公報
【考案の概要】
【考案が解決しようとする課題】
【０００５】
本考案は、以上のような従来のカメラ取り出し時のカメラの落下、ケースの落下や紛失を防止する事により、撮影に専念でき、また、シャッターチャンスを出来るだけ逃さない為の簡単取出し、面倒による、出しっぱなしが無い様に簡単収納が出来る、軽くて、コンパクトなストラップ取り付け部有仕様デジタルカメラケースを提供する事を目的としている。
【課題を解決するための手段】
【０００６】
上記目的を達成するために、本考案は、１本のストラップによりカメラとカメラケースを繋げ、ケースはブックカバーの型で、マジックテープ（登録商標）により、閉めた時に、自然に開くのを防ぐカメラケースを構成している。
【考案の効果】
【０００７】
以上の説明から明らかなように、本考案にあたっては次に列挙する効果が得られる。
（１）カメラを取り出す時、ストラップを手に通してカバーをはずせるので、カメラやケースの落下を防げる。
（２）カメラ使用時にストラップからケースが離れず、落下や、紛失しないため、急いでカメラを取り出た時、空ケースを気にしないで撮影でき、撮影後ケースを探す手間が無い。
（３）カメラ収納時の動作も撮影終了後、電源ボタンを押すと次に、ストラップに繋がっているケースを、開いて入れ、閉じるだけなので、不必要時の出しっぱなしがなく、カメラから小キズを守り、取り出し、収納の、動作が単純で、繰り返しても全く、撮影意欲がなくならない。
（４）ケースの型に、厚みがないので、空の時は勿論かさばらず、収納時も、カメラの厚みに合わせる事が出来かさばらない。
（５）ケースを開いた時に片方がカメラ入れ、もう一方は、小物入れになっているが、小物の出し入れがしやすく、小物使用が無くても、さらにクッションの役割を果たす。
（６）マジックテープ（登録商標）で止める事により、開け閉めが簡単で、かさばらず、傷もつかず、マジックテープ（登録商標）自体も、またクッションの役割を果たす。
（７）付属のストラップを使用するので、無駄がなく、かさ張らない。
【図面の簡単な説明】
【０００８】
【図１】カメラケースを開いた図である。
【図２】図１のあ−い線断面図である。
【図３】ストラップ図である。
【図４】ストラップの先Ｂをケースの穴に外側から内側に通した図である。
【図５】図４の次に先Ｂをカメラのストラップ取り付け部に通した図である。
【図６】図５の次に先Ｂをケースの穴に内側から外側に通す図である。
【図７】図６の次に先Ｂをストラップの持ち手部分をくぐらせた図である。
【図８】図７の次にストラップの持ち手部分を引っ張り先Ｂがカメラのストラップ取り付け部に止まる図である。
【図９】ストラップ付け完成し、カバーを開いてカメラを収めた図である。
【考案を実施するための形態】
【０００９】
ケースにストラップを通す穴を開けるが、ストラップの持ち手部分を止める部品（Ａ）より小さい穴にする。
【００１０】
ケースの型はブックカバー型のように、開いたら中心側から左右のポケットの口があり、一方にカメラを収納し、もう一方に小物を収納できる。
【００１１】
ケースの内側左右にマジックテープ（登録商標）をつけて閉じさせている。
【図１】
0003171769.tif 000003
【図２】
0003171769.tif 000004
【図３】
0003171769.tif 000005
【図４】
0003171769.tif 000006
【図５】
0003171769.tif 000007
【図６】
0003171769.tif 000008
【図７】
0003171769.tif 000009
【図８】
0003171769.tif 000010
【図９】
0003171769.tif 000011
(57)【要約】      （修正有）【課題】厚い塗膜への食い込み抵抗が少なく切削することができ、塗膜カッターの超寿命化が図られる塗膜切削装置を提供する。【解決手段】切削部のカッター台金外周縁部に三角の形状をなした複数の切削チップを周方向に間欠的に配置し、また被切削部の狭小部に合わせて使用する大小のカッターと深さに合わせて使用するジョイント部から構成されている。切削チップの前面には、チップ本体よりも耐摩耗性に優れたダイヤモンド焼結体から構成されている。切削チップの前方におけるカッター台金を切り欠いてなる切り屑排出部を備える。【選択図】図１
0003171766.tif 000002
【実用新案登録請求の範囲】
【請求項１】
切削部のカッター台金外周縁部に三角の形状をなした複数の切削チップを周方向に間欠的に配置し、刃部が被切削部の下部と横部を同時に切削ができ、また被切削部の狭小部に合わせて使用する大小のカッターと深さに合わせて使用するジョイント部から構成されていることを特徴とする塗膜切削装置。
【請求項２】
前記切削チップは背面を前記カッター台金により支持されていることを特徴とする請求項１に記載の塗膜切削装置。
【請求項３】
前記切削チップの前面には、チップ本体よりも耐摩耗性に優れたダイヤモンド焼結体から構成されていることを特徴とする請求項１に記載の塗膜切削装置。
【請求項４】
前記切削チップの前方における前記カッター台金を切り欠いてなる切り屑排出部を備えることを特徴とする請求項１に記載の塗膜切削装置。
【考案の詳細な説明】
【技術分野】
【０００１】  本考案は、建築構造物の改修工事において、塗料の塗り重ねよってできた厚い塗膜の狭小部や段差部の塗膜除去に用いられる塗膜切削装置である。
【背景技術】
【０００２】  建築構造物の改修工事において、塗料の塗り重ねによる厚い塗膜は、スクレーパやヤスリ等での手作業が主流で行われているため、低能率で人件費のコスト高である。
【考案が解決しようとする課題】
【０００３】  本考案は、上記した事情に鑑み、高能率と低コストを最優先にすることを目的に考案された塗膜切削装置。
【課題を解決するための手段】
【０００４】  本考案は、カッター台金の外周縁部に設置されている複数の切削チップは、刃部としてのエッジが三角の形状をなしているため、厚い塗膜に食い込み抵抗が少なく切削していくことができる。
【０００５】  切削チップの前面には、チップ本体よりも耐摩耗性に優れたダイヤモンド焼結体から構成されていると好ましい。耐摩耗層は、超低粒をボンド材により固定した超低粒層から構成されていると好ましい。このようにすれば、塗膜切削カッターの超寿命化が図られる。
【０００６】  塗膜切削カッターは、切削チップの前方におけるカッター台金を切り欠いてなる切り屑排出部を備えると好ましい。このようにすれば、切削チップにより削られた切り屑は、切り屑排出部から切削チップ上を通って後方に排出される。これにより、切り屑の促進がされ、切削チップの目詰まりを解消することが出来る。
【考案の形態】
【０００７】  以下、本考案の塗膜切削装置の形態を添付した図面にしたがって説明する。
図１は、電動回転機械（グラインダー）に、ジョイント部を取り付け、本考案の塗膜切削カッター（小）を取り付けた横面図である。図２、は▲３▼▲４▼のカッター台金外周縁部に三角の形状をなした複数の切削チップを周方向に間欠的に配置した塗膜切削カッター（大）（小）の上面図である。図３は、塗膜切削カッター（大）の拡大斜面図である。図４、は電動回転機械（グラインダー）に▲４▼塗膜切削カッター（大）を取り付けた横面図である。
図５、は電動回転機械（グラインダー）に▲３▼塗膜切削カッター（小）を取り付けた横面図である。
【考案の実施例】
【０００８】以下、本考案の塗膜切削装置の実施例を添付した図面にしたがって説明する。
図６、は▲３▼塗膜切削カッター（小）で鉄板のリベット周囲の塗膜切削処理の斜面図である。図７、は▲３▼塗膜切削カッター（小）で鉄骨ボルト周囲の塗膜切削処理の斜面図である。
【考案の効果】
【０００９】  本考案の塗膜切削装置は、以上説明をしてきた通り、作業者が手作業で処理していた従来の作業をはるかに上回る能力と、肉体的な疲労度も極端に軽減されたものである。また操作性はもとより、仕上げの精度も高く、コスト面においても十分に対応できるものである。
【図面の簡単な説明】  以下、本考案の塗膜切削装置の実施例を、添付した図面にしたがって説明する。
【図１】は電動回転機械（グラインダー）に本考案の塗膜切削カッターを取り付けた横面図である。
【図２】は本考案の塗膜切削カッター（大）（小）の上面図である。
【図３】は本考案の塗膜切削カッター（大）の拡大図である。
【図４】は本考案の塗膜切削カッター（大）の横面図である。
【図５】は本考案の塗膜切削カッター（小）の横面図である。
【図６】は本考案の塗膜切削カッター（小）でリベット周囲の塗膜切削をしている斜面図である。
【図７】は本考案の塗膜切削カッター（小）で鉄骨のボルト周囲の塗膜切削をしている斜面図である。
【符号の説明】（１）電動回転機械（グラインダー）
（２）ジョイント
（３）塗膜切削カッター（小）
（４）塗膜切削カッター（大）
（５）切削チップ
（６）切り屑排出部
【図１】
0003171766.tif 000003
【図２】
0003171766.tif 000004
【図３】
0003171766.tif 000005
【図４】
0003171766.tif 000006
【図５】
0003171766.tif 000007
【図６】
0003171766.tif 000008
【図７】
0003171766.tif 000009
(57)【要約】      （修正有）【課題】シート状のダンボール資材を接続し、避難所などで他人の視線を遮る家具として活用できるダンボールジョイントパーツを提供する。【解決手段】下部に形成された複数の櫛状の歯を有する板状の本体と、板状の本体中央に形成された第一切込溝と、板状の本体上部の一側端部に形成された第二切込溝と、板状の本体下部で第二切込溝反対側端部に形成された第三切込溝とを有する。【選択図】図１
0003171737.tif 000002
【実用新案登録請求の範囲】
【請求項１】
本考案は、本体上部中央に形成された第一切込溝と、本体上部の一側端部に形成された第二切込溝と、本体下部で第二切込溝と反体側端部に形成された第三切込溝と、本体下部に形成された歯とで成した事を特徴としたダンボ−ル ジョイントパ−ツ。
【考案の詳細な説明】
【技術分野】
【０００１】
本考案は、プライベ−トの場所を確保する為のダンボ−ル ジョイントパ−ツ に関する。
【背景技術】
【０００２】
ダンボールシート、または、ダンボ−ル箱を各々の個体を接続しての機能アップを図るには、一般的に粘着テ−プ・製箱用金具・ピンやクリップの様な物で複数の個体を接続する事により利用範囲に合わせている状況である。クリップの様な物で複数の個体を接続する事は、ダンボールシートやダンボ−ル箱等の強靭さを持たす為の中芯の良さを減退させており ダンボ−ル ジョイントパ−ツ の様なダンボール紙本来の強靭さを保持し中芯の特性を有する専用の接続用具が待たれる状況である。
【考案の概要】
【考案が解決しようとする課題】
【０００３】
ダンボールシートやダンボ−ル箱は、その物本来の用途である輸送用具や保管用具として供される以外の機能拡大を図る時、切断や接続の加工等を加える事により可能になる。
この接続するには、粘着テ−プ・製箱用金具・ピンやクリップ等有り合わせの物でおこなっていた。だが、作業性・美観・統一性、そして、市場性等の観点から専用用具が育っていない現状であり、加えてこれまでの接続方法では解体し再接続時等シ−ト状のダンボ−ルの強度が低下し潰れやすく、また、シ−ト状のダンボ−ルの角度がキッチリ出ない為、場合によっては倒れ易い等の課題も多い。
【課題を解決するための手段】
【０００４】
本考案は、本体上部中央に形成された第一切込溝と、本体上部の一側端部に形成された第二切込溝と、本体下部で第二切込溝反体側端部に形成された第三切込溝と、本体下部に形成された歯とで成した事を特徴としたダンボ−ル ジョイントパ−ツ。
【考案の効果】
【０００５】
本考案は、作業性・美観や統一性を確保しつつダンボールシートやダンボ−ル箱を解体しシ−ト状にした資材をダンボ−ル ジョイントパ−ツの本体下部に形成された歯を確りとダンボ−ルのライナ−と中芯の間の空間に差し込みジョイントして潰れにくくコ−ナ−型やＴ字型の角度を容易に確保し模様替えも簡単で体育館の様な広い場所で避難して居る時、ダンボール資材で他人の視線を遮る家具の一つとして活用できる緊急の要請にも対応可能である。
【図面の簡単な説明】
【０００６】
【図１】ダンボ−ル ジョイントパ−ツの正面図
【図２】コ−ナ−型を構成するダンボ−ル ジョイントパ−ツの接続図
【図３】T字型を構成するダンボ−ル ジョイントパ−ツの接続とシ−ト状ダンボ−ルをセットした図
【考案を実施するための形態】
【０００７】
ダンボ−ル ジョイントパ−ツ本体は、シ−ト状のダンボ−ルを接続する為の用具であり、本体に三か所設けられた切込溝と本体下部に形成された歯を中芯とライナ−の間の空間を利用して本体とシ−ト状のダンボ−ルを一体にして潰れ難く、且つ、接続体の角度も容易に出す事が出来、また、解体・再接続もシ−ト状ダンボ−ルの強度を減少させる事なく直線型・コ−ナ−型、そして、T字型等の接続体を作成して他人の視線を遮るプライベ−トスペ−スを確保する為に利用する。
【実施例】
【０００８】
以下、本考案の一実施例について図面を参照して説明する。
図1ダンボ−ル ジョイントパ−ツ本体  １  であり、材質はプラスチック・金属や木材等何れであれ簡単に破断しない物であれば良い。ダンボ−ル ジョイントパ−ツ  １  は、本体上部の中央部分に設けられた第一切込溝 ２ と，第一切込溝の一側端部に形成された第二切込溝 3本体下部で第二切込溝の反体側端部に形成された第三切込溝 ４ と本体下部に形成された歯 5 とで本体を構成する。
【０００９】
ダンボ−ル ジョイントパ−ツ  １  を使用する時ダンボ−ルを接続するダンボ−ルの箇所は、上部のみを記すが上部と下部の両サイドに使用すると一層堅固さが確保できる。以後の説明では、上部のみの使用にて説明する。また、図1と図2についてはダンボ−ル ジョイントパ−ツ  １の状況を確認し易くする為シ−ト状ダンボ−ルの併記を省略している。
【００１０】
図２のコ−ナ−型にシ−ト状のダンボ−ルを接続する場合、シ−ト状のダンボ−ルの端に第二切込溝 3が位置する様に本体下部の歯５ を夫々シ−ト状のダンボ−ルのライナ−と中芯の間に出来た空間の中へ挿入セットし、第二切込溝 3に対して90度の角度でシ−ト状のダンボ−ル ６ をセットしその上から別のダンボ−ル ジョイントパ−ツ １ を第二切込溝 ２ へ第三切込溝 ４ を挿入すると同時に本体下部の歯 ５ を夫々シ−ト状のライナ−と中芯の間に出来た空間の中へ挿入セットしコ−ナ−型接続が出来上がる。
【００１１】
図３のダンボ−ル ジョイントパ−ツ  １  は、T字型にシ−ト状のダンボ−ル ６ を接続する場合、シ−ト状のダンボ−ル ６ の適宜の所にダンボ−ル ジョイントパ−ツ１をセットし、その上部中央部にある第一切込溝 ２ に90度の角度にシ−ト状のダンボ−ル ６ をセットし、その上から別のダンボ−ル ジョイントパ−ツ１を第一切込溝 ２ へ第三切込溝 ４ を挿入すると同時に本体下部の歯 ５ を夫々シ−ト状のライナ−と中芯の間に出来た空間の中へ挿入し組み込みT字型接続が出来上がる。
【符号の説明】
【００１２】
1  ダンボ−ル ジョイントパ−ツ本体
2  第一切込溝
3  第二切込溝
4  第三切込溝
5  歯 
6  シ−ト状ダンボ−ル
【図１】
0003171737.tif 000003
【図２】
0003171737.tif 000004
【図３】
0003171737.tif 000005
【手続補正書】
【提出日】平成23年8月30日(2011.8.30)
【手続補正１】
【補正対象書類名】実用新案登録請求の範囲
【補正対象項目名】全文
【補正方法】変更
【補正の内容】
【実用新案登録請求の範囲】
【請求項１】
下部に形成された複数の櫛状の歯を有する板状の本体と、
該板状の本体中央に形成された第一切込溝と、
前記板状の本体上部の一側端部に形成された第二切込溝と、
前記板状の本体下部で第二切込溝反対側端部に形成された第三切込溝と
を有する事を特徴とするダンボールジョイントパーツ。
【手続補正２】
【補正対象書類名】明細書
【補正対象項目名】０００４
【補正方法】変更
【補正の内容】
【０００４】
下部に形成された複数の櫛状の歯を有する板状の本体と、
該板状の本体中央に形成された第一切込溝と、
前記板状の本体上部の一側端部に形成された第二切込溝と、
前記板状の本体下部で第二切込溝反対側端部に形成された第三切込溝と
を有する事を特徴とするダンボールジョイントパーツ。
(57)【要約】      （修正有）【課題】陶板を有する記章において、陶板が金属製の受け皿に接着剤で密着され、耐久性に優れた記章を提供する。          【解決手段】接着剤が浸透しにくい陶磁器と金属との接着強度を増すために、それぞれの部分に接着剤が浸透していく溝と凹凸を施す。また、粘土で成形された生地を５００度で焼成してから寸法を調整し、本焼成後の陶板の寸法と金属製の受け皿の内寸を同じにする。【選択図】 図１
0003171734.tif 000002
【実用新案登録請求の範囲】
【請求項１】
印章又は記号を表示した陶板部分を金属製の受け皿に固着した記章において、陶板の裏側に鉤状の溝があり、金属製の受け皿に疵があることで接着剤が浸透して固着状態になり、また、陶板の寸法と金属製の受け皿の内寸が同じであることで密着状態になっていることを特徴とする記章。
【請求項２】
請求項１の鉤状の溝が図４に示すように同心円状に掘られていることを特徴とする記章。
【考案の詳細な説明】
【技術分野】
【０００１】
本考案は、陶板が金属製の受け皿に固着され、密着状態でその受け皿に納められた記章に関する。
【背景技術】
【０００２】
記章は使用頻度が非常に高くその耐久性や価格などから、現在では金属製のものが主である。従来の金属製では色の表現方法が少なく、グラデーションや緻密な絵付けをすることが難しい。つまり、容易なデザインが多く、会社のロゴマークやイメージを忠実に表現できないのが現状である。
【考案の概要】
【考案が解決しようとする課題】
【０００３】
陶板と金属製の受け皿を接着する場合、双方に接着剤が十分に浸透しないので、使用頻度の高い記章としては耐久性が低く、受け皿から陶板がはく脱しやすい。また、雨や埃が陶板と受け皿との隙間に入り込み接着強度が低下しやすいので、受け皿と陶板との隙間は極力無い方が良い。しかし、陶磁器は作業工程中や焼成中に収縮をするので、金属製の受け皿のサイズと正確に合わせることが困難であることが欠点である。
【課題を解決するための手段】
【０００４】
陶板に図２、図３のような溝と凹みを掘り、金属製の受け皿に図４、図５のような疵と凸を作る。接着剤が溝に入ることで浸透しやすくなり、また、凹凸を組ませることで衝撃にも強くなるので、陶板と受け皿が固着状態になる。次に、陶磁器は作業工程中に粘土が乾燥し収縮する特性があるので、まず陶板生地を５００度の温度で焼成する。この温度で焼成されると粘土の不安定な収縮は無くなり、まだ完全に焼き締まっていないので容易に寸法の変更や修正が可能である。この段階から本焼成後の完成品になる時も収縮するが、その収縮率は一定なので予め計算した寸法に焼き締める事が可能になり、これにより上記課題を解決するものである。
【考案の効果】
【０００５】
本考案に係る記章は、陶板に様々な絵付け技法を使って模様を表現することが可能であることから、芸術性も加わり高級感のある記章になる。会社の顔でもある記章を陶磁器製にすることで、会社のロゴマークやイメージを正確に表現でき、その模様の持つ意味を相手に正確に伝えることが可能である。また、上質で高級感があり会社のイメージを十分に表現している記章を身に付けることで、社員自身が会社の一員であるという意識の向上にも繋がる。
【図面の簡単な説明】
【０００６】
【図１】本考案に係る陶板部分と金属製のピン付き受け皿が接着された記章のヘッド部分の側面図である。
【図２】本考案に係る陶板部分の端面図である。
【図３】本考案に係る陶板部分の端面図である。
【図４】本考案に係る陶板部分の底面図である。
【図５】本考案に係る金属製受け皿の端面図である。
【図６】本考案に係る金属製受け皿の正面図である。
【考案を実施するための形態】
【０００７】
図１に示された陶板は、粘土から成形された後乾燥され、５００度の温度で焼成された後、寸法の調整をされて本焼成をされたものである。
【０００８】
図２、図３に示すように、陶板の裏側に鉤状の溝を掘って接着面積を広げる。    
【０００９】
図５、図６に示すように、金属製の受け皿に疵をつけて接着面積を広げる。
【００１０】
上記の工程により完成した本考案の陶板と金属製の受け皿は、接着剤が陶板にある鉤状の溝と金属製の受け皿にある疵に浸透し、固着状態になる。また、本焼成後の陶板の寸法と、金属製の受け皿の内寸が同じになることから密着状態になる。このことから、耐久性に優れた陶磁器を有する記章が完成する。
【符号の説明】
【００１１】
１  陶板
２  金属製の受け皿
３  滑り止め
４  針
５  鉤状の溝
６  針の頭が入る凹み
７  同心円状に掘られた鉤状の溝
８  疵の凹み
【図１】
0003171734.tif 000003
【図２】
0003171734.tif 000004
【図３】
0003171734.tif 000005
【図４】
0003171734.tif 000006
【図５】
0003171734.tif 000007
【図６】
0003171734.tif 000008
【手続補正書】
【提出日】平成23年9月9日(2011.9.9)
【手続補正１】
【補正対象書類名】実用新案登録請求の範囲
【補正対象項目名】請求項２
【補正方法】変更
【補正の内容】
【請求項２】
鉤状の溝が陶板部分の中心から同心円状に掘られていることを特徴とする請求項１に記載の記章。
(57)【要約】      （修正有）【課題】押圧するだけでなく、オイルマッサージもでき、効率よくマッサージを行い、血行をよくして健康を増進するマッサージ用具を提供する。【解決手段】従来のマッサージ用具の板体や従来のマッサージ用具の突起体では押圧する効果しかない。植物油を含浸させた木製のマッサージ用具の板体や同じく植物油を含浸させた木製のマッサージ用具の突起体を使用すると、押圧効果に加えて、オイルマッサージ効果も付加できるので、効率よくマッサージすることができる。【選択図】図３
0003171736.tif 000002
【実用新案登録請求の範囲】
【請求項１】
植物油を含浸させた木製のマッサージ用具。
【考案の詳細な説明】
【技術分野】
【０００１】この考案は顔および他の体の皮膚を押圧回転し、マッサージを行う美顔、美肌用具に関する。
【背景技術】
【０００２】従来のマッサージ用具には突起型や板型で皮膚を押圧して使用するマッサージ用具がある。
【考案の開示】
【考案が解決しようとする課題】
【０００３】従来のマッサージ用具は突起体や板体で皮膚を押圧するマッサージの機能しかない。
【課題を解決するための手段】
【０００４】本考案の植物油を含浸させた木製のマッサージ用具を提供する。
【考案の効果】
【０００５】植物油は皮膚に優しく、従来の押圧だけのマッサージだけではなく、植物油によるオイルマッサージの効果が付加される。
【実施例】
【０００６】［図１］が従来のマッサージ用板体で、押圧の効果しかない。同じく［図２］が従来のマッサージ用突起体で、押圧の効果しかない。［図３］が本考案の植物油を含浸させた木製のマッサージ用具の実施例の板体で、押圧の効果のほかに板体表面より植物油がしみ出るのでオイルマッサージの効果も付加することができる。同じく［図４］が本考案の植物油を含浸させた木製のマッサージ用具の突起体で、押圧の効果のほかに突起体表面より植物油がしみ出るのでオイルマッサージの効果も付加することができる。
【産業上の利用可能性】
【０００７】本考案のマッサージ用具は押圧するだけでなく、オイルマッサージもできるので、効率よくマッサージを行い、血行をよくして健康を増進する。
【図面の簡単な説明】
【０００８】
【図１】従来のマッサージ用具の板体
【図２】従来のマッサージ用具の突起体
【図３】本考案の植物油を含浸させた木製のマッサージ用具の板体
【図４】本考案の植物油を含浸させた木製のマッサージ用具の突起体
【図１】
0003171736.tif 000003
【図２】
0003171736.tif 000004
【図３】
0003171736.tif 000005
【図４】
0003171736.tif 000006
【手続補正書】
【提出日】平成23年8月24日(2011.8.24)
【手続補正１】
【補正対象書類名】実用新案登録請求の範囲
【補正対象項目名】全文
【補正方法】変更
【補正の内容】
【実用新案登録請求の範囲】
【請求項１】
植物油を含浸させた板型および突起型の木製マッサージ用具
(57)【要約】      （修正有）【課題】園芸用ポット・プランターで栽培している物に潅水時又は、降雨時等の泥はねを防止する泥よけを提供する。【解決手段】泥よけは、金属、樹脂又は紙からなり、網もしくは穴を開けたシートである。【選択図】図１
0003171739.tif 000002
【実用新案登録請求の範囲】
【請求項１】
園芸用ポット・プランターで栽培している物に潅水又は、雨等の泥はねを防止するために、ポット・プランターの上部に藁・ビニール等を敷き詰めて栽培する方法が採られてきた。しかし藁等の入手・敷き詰めは、煩雑であった。この改善策として、液体は通すが決められた大きさ以上の固形物は通さないシート等を設置することで問題を解決するものである。
【考案の詳細な説明】
【技術分野】
【０００１】
本考案は、園芸用ポット・プランターで栽培している物に  潅水又は、雨等の泥はねにより被害が出ることを防ぐ事に関するものである。
【先行技術文献】
【非特許文献】
【０００２】
【非特許文献１】園芸用ポット・プランターで栽培している物に潅水又は、雨等の泥はねを防止するために、ポット・プランターの上部に藁・ビニール等を敷き詰めて栽培する方法が採られてきた。
【考案の概要】
【考案が解決しようとする課題】
【０００３】
園芸用ポット・プランターで栽培している物に潅水(自然雨等でも)すると、葉・花・果実等に{泥はね}により被害が出ることがある。
【課題を解決するための手段】
【０００４】
園芸用ポット・プランターで栽培している物に潅水又は、雨等の泥はねを防止するために、ポット・プランターの上部に藁・ビニール等を敷き詰めて栽培する方法が採られてきた。しかし藁等の入手・敷き詰めは、煩雑であった。
【考案の効果】
【０００５】
この改善策として、園芸用ポット・プランターに液体は通すが決められた大きさ以上の固形物は通さないシート等を設置することで問題を解決するものである。
【図面の簡単な説明】
【０００６】
【図１】図1は、シート状のネットを説明したものである。図2は、ネットをポットに取り付けた状態を示したものである。
【図１】
0003171739.tif 000003
【手続補正書】
【提出日】平成23年9月14日(2011.9.14)
【手続補正１】
【補正対象書類名】実用新案登録請求の範囲
【補正対象項目名】全文
【補正方法】変更
【補正の内容】
【実用新案登録請求の範囲】
【請求項１】
金属、樹脂又は紙から成り網もしくは穴を開けた  シートであることを特徴とする園芸用ポットプランターの泥よけ。
(57)【要約】      （修正有）【課題】従来の土木作業等に使用されている角型スコップなどは主に、地盤掘削やそれに伴う埋め戻し作業に使用されている。しかし、その様な作業の際メジャー・スケールや、スタッフなどにて測量使用しているが、作業現場の状況やまた、作業者によっては、測量機器の使用が出来ない場合があるための簡易的測量機器を提供する。【解決手段】角型スコップのショベル側面及び裏面部に測量表示（横線及び数）を打刻したもの。【選択図】図１
0003171733.tif 000002
【実用新案登録請求の範囲】
【請求項１】
従来の土木作業等に使用されている角型スコップのショベル部分（側面及び裏面部）
【考案の詳細な説明】
【技術分野】
【０００１】  土木工事
【背景技術】
【０００２】
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】  ［土木工事作業の際測量の簡素化］
【課題を解決するための手段】  ［土木工事作業の際使用する角型スコップ（ショベル部分）への測量数字・横線表示］
【考案の効果】  ［測量数字・横線表示のある角型スコップ使用による作業の迅速化］
【図面の簡単な説明】
【図１】［角型スコップ（ショベル部分）への打刻による測量数字・横線表示］    ［図１参照］
【考案を実施するための形態】
［土木作業（特に地盤配管工事作業に伴う路盤埋め戻しの際使用するもの）］
【実施例】  ［なし］
【産業上の利用可能性】  ［有］
【符号の説明】  ［なし］
【図１】
0003171733.tif 000003
【手続補正書】
【提出日】平成23年8月24日(2011.8.24)
【手続補正１】
【補正対象書類名】実用新案登録請求の範囲
【補正対象項目名】全文
【補正方法】変更
【補正の内容】
【実用新案登録請求の範囲】
【請求項１】
土木工事作業などに使用するもので、ショベル側面及び裏面部に測量表示を打刻したことを特徴とする角型スコップ。
(57)【要約】【課題】  釣針への釣糸の締結を迅速容易に行うことができる釣針への釣糸締結具を提供する。【解決手段】  把持部１０と、把持部１０の略中央から突出する突部２０とを備え、把持部１０は、突部２０の両側に２本の指をそれぞれ掛ける指掛部１２，１２を備えており、突部２０は、釣針と係合する係合部２２を備えている。係合部２２は、突部２０の突出方向に長い長孔からなる貫通孔とすることができ、指掛部１２，１２は、平面視円弧状に形成することができる。【選択図】  図１
0003171785.tif 000002
【実用新案登録請求の範囲】
【請求項１】
把持部と、前記把持部の略中央から突出する突部とを備え、
前記把持部は、前記突部の両側に２本の指をそれぞれ掛ける指掛部を備えており、
前記突部は、釣針と係合する係合部を備えている釣針への釣糸締結具。
【請求項２】
前記係合部は、前記突部の突出方向に長い長孔からなる貫通孔である請求項１に記載の釣針への釣糸締結具。
【請求項３】
前記指掛部は、平面視円弧状に形成されている請求項１または２に記載の釣針への釣糸締結具。
【考案の詳細な説明】
【技術分野】
【０００１】
本考案は、釣糸を釣針に結び付ける際に使用する釣針への釣糸締結具に関する。
【背景技術】
【０００２】
釣針への釣糸（ハリス）の結び方としては種々のものが存在するが、指先の器用さと熟練を要するため、初心者にとっては作業が困難で時間がかかるという問題がある。そこで、釣針に対する釣糸の締結を容易にするための締結具が従来から知られている。
【０００３】
例えば、特許文献１に開示された仕掛け結び具は、図４に示すように、挟持部５０と、挟持部５０の先端に設けられた突出部５２と、挟持部５０から突出部５２に向けて形成された溝部５４とを備えており、挟持部５０に挟持した釣針５６に釣糸５８を巻き付けて、溝部５４を介して結ぶことができるように構成されている。、
【先行技術文献】
【特許文献】
【０００４】
【特許文献１】実用新案登録第３０６１２８５号公報
【考案の概要】
【考案が解決しようとする課題】
【０００５】
上記従来の仕掛け結び具は、釣針５６への釣糸５８の巻き付けが、釣針５６だけでなく突出部５２も含めて一体的に行われるため、釣糸５８を巻き付けた後に突出部５２を抜き取る必要がある。この抜き取りによって釣糸５８の巻付部には緩みが生じるので、釣糸５８を締め込む作業が別途必要になる。
【０００６】
ところが、この締込作業は、強い引張力を要するにも拘わらず道具を使用することができないため、釣針５６の針先に注意しながら釣針５６を直接摘んで釣糸５８を引っ張る必要があり、作業性が悪いという問題があった。特に、釣針５６のサイズが小さい場合には、軸部のみを摘むことが困難であり、指が針先に触れ易いという問題があった。
【０００７】
そこで、本考案は、釣針への釣糸の締結を迅速容易に行うことができる釣針への釣糸締結具の提供を目的とする。
【課題を解決するための手段】
【０００８】
本考案の前記目的は、把持部と、前記把持部の略中央から突出する突部とを備え、前記把持部は、前記突部の両側に２本の指をそれぞれ掛ける指掛部を備えており、前記突部は、釣針と係合する係合部を備えている釣針への釣糸締結具により達成される。
【０００９】
上記構成において、前記係合部は、前記突部の突出方向に長い長孔からなる貫通孔であることが好ましい。また、前記指掛部は、平面視円弧状に形成されていることが好ましい。
【考案の効果】
【００１０】
本考案の釣針への釣糸締結具によれば、釣針への釣糸の締結を迅速容易に行うことができる。
【図面の簡単な説明】
【００１１】
【図１】本考案の一実施形態に係る釣針への釣糸締結具の平面図である。
【図２】図１に示す釣針への釣糸締結具の側面図である。
【図３】図１に示す釣針への釣糸締結具の使用方法を説明するための斜視図である。
【図４】従来の仕掛け結び具を示す斜視図である。
【考案を実施するための形態】
【００１２】
以下、本考案の一実施形態について添付図面を参照しつつ説明する。図１は、本考案の一実施形態に係る釣針への釣糸締結具の平面図であり、図２は、同側面図である。図１および図２に示すように、釣針への釣糸締結具１は、把持部１０と、この把持部１０の略中央から突出する突部２０とを備えており、金属や樹脂等の材料により全体として平板状に形成されている。
【００１３】
把持部１０は、突部２０の側縁と連接する円弧状の指掛部１２，１２が、突部２０を挟んで両側にそれぞれ形成されている。把持部１０の端部には、キーホルダやストラップ等を取り付け可能な取付孔１４が形成されている。
【００１４】
突部２０は、把持部１０から直線状に突出するように形成されており、釣針（図示せず）と係合する係合部２２が先端近傍に設けられている。係合部２２は、本実施形態においては、突部２０の突出方向に長い長孔からなる貫通孔である。
【００１５】
次に、上記の構成を備える釣糸締結具１を用いて、釣針に釣糸を締結する方法を説明する。まず、図３（ａ）に示すように、釣針３０の軸３２に対して釣糸４０を結び付ける。釣針３０に対する釣糸４０の結び方は、外掛け結びや内掛け結び等の公知の結び方でよく、釣糸４０の先端部４２を釣針３０の軸３２に数回巻き付けて、巻付部４４を形成する。この時点では、巻付部４４の形状や位置を整える程度に、釣糸４０の先端部４２を軽く引っ張るだけでよい。
【００１６】
ついで、図３（ｂ）に示すように、釣糸締結具１の係合部２２に釣針３０の針先３４を係合させ、２本の指（例えば、人差し指および中指）をそれぞれ把持部１０の指掛部１２，１２に掛けて、図３（ｃ）に示すように、係合部２２が２本の指の間から露出するように釣糸締結具１を一方の手で把持する。そして、他方の手で釣糸４０の本線（巻付部４４よりも基部側）を持ち、左右に強く引っ張ることにより、釣糸４０を釣針３０にきつく締結することができる。この後は、釣糸４０の先端部４２を適宜切除して、作業が完了する。
【００１７】
本実施形態の釣針への釣糸締結具１によれば、締結作業の最後で釣針３０に結び付けた釣糸４０の本線を一方の手で強く引っ張る際に、他方の手は釣糸締結具１を確実に保持するだけでよく、釣針３０の針先３４は、図３（ｃ）に示すように、釣糸締結具１を把持する指とは反対方向を向くため、針先３４が指に接触するおそれがない。したがって、締結作業を安全且つ迅速容易に行うことができる。
【００１８】
また、係合部２２を、突部２０の突出方向に長い長孔からなる貫通孔とすることで、釣針３０の針先３４を、係合部２２に対して容易且つ確実に係合させることができる。但し、係合部２２の具体的な構成は、釣針３０と係合可能であれば特に限定されず、例えば、突部２０の表面に形成された有底溝や突起物等であってもよい。
【００１９】
また、把持部１０の指掛部１２，１２を円弧状に形成することで、突部２０を２本の指の間に確実に挟持することができ、かかる構成によっても作業性を向上させることができる。
【符号の説明】
【００２０】
１  釣糸締結具
１０  把持部
１２  指掛部
２０  突部
２２  係合部
３０  釣針
４０  釣糸
【図１】
0003171785.tif 000003
【図２】
0003171785.tif 000004
【図３】
0003171785.tif 000005
【図４】
0003171785.tif 000006
(57)【要約】      （修正有）【課題】コンセントが付加とする光源からの光を遮光して自然光を採光する節電防犯コンセントを提供する。【解決手段】コンセントと明暗センサー１が分離され、明暗センサーを延長コードによりコンセントに外付けする。この組み合わせによりコンセント本体７に明暗センサー機能を付加し、負荷の設置範囲を広げて選び、夜間のみ作動を要する汎用照明器具や任意の負荷を接続し、自然光の明るさと暗さにより電気を自動でＯＮとＯＦＦすることを特徴とするものである。当該コンセントとセンサーは固定設置でないことから任意の場所に移動することが自在であり、明暗センサーは延長コードと遮光フード２を具えているので、自然光を受光する場所にセンサーを設置し、遮光フードを自然光が到来する方向に向ける。【選択図】図１
0003171759.tif 000002
【実用新案登録請求の範囲】
【請求項１】
電気の交流１００ボルト（以下「電気」と言う）の差込接続器プラグ受け（以下「コンセント」と言う）に、明るさと暗さのセンサー（以下「明暗センサー」と言う）を付加する接続口を具えたコンセントで、当該コンセントに明暗センサーを接続して明るさと暗さを検知させ、コンセントの負荷を自動で通電と遮断（以下「ＯＮとＯＦＦ」と言う）する手段を備えたことを特徴とする節電防犯コンセント。
【請求項２】
請求項１において、明暗センサーは延長コードと遮光、及び採光に供するフードを具えたことを特徴とする節電防犯コンセント。
【考案の詳細な説明】
【技術分野】
【０００１】  本考案は、明暗センサーを付加する接続口を具えた、コンセントに関するものである。
【背景技術】
【０００２】  コンセントは、電気の中継や分配をして負荷を接続するが、その負荷に対し、明るさと暗さを検知して電気をＯＮとＯＦＦするための機能を具えるには、固定回路による配線を必要とする。【０００３】  また、明と暗の検知機能を持っている常夜灯や防犯灯、街路灯や夜間点灯器具はそのいずれも明暗センサー機能は別回路、もしくは固定・内臓配線であり明暗センサーを分離することはない。
【考案の開示】
【考案が解決しようとする課題】
【０００４】  明るさや暗さを検知して負荷をＯＮとＯＦＦする防犯灯や常夜灯は、負荷に独立した明暗センサー回路を構成するが、それらは固定設置であり、負荷や明暗センサーをを任意の場所に移動できない。【０００５】  また、明暗センサーは太陽の直接光または間接光（以下「自然光」と言う）を受光して動作するが、負荷である防犯灯や常夜灯からの光が漏れて入射すると誤動作する。
【課題を解決するための手段】
【０００６】  本考案は、コンセントに明暗センサーを付加する接続口を持たせている。当該明暗センサーは延長コードを具えておりコンセントの接続口へ接続する。このことにより当該コンセントに明るさと暗さの検知機能を持たせる。そして、コンセントと明暗センサーは要素として分離しているが、組み合わせることにより、夜間のみ点灯したい負荷である防犯目的や安全目的の照明、ならびに一般照明器具や夜間のみ必要な工事現場の仮設照明器具等を自動でＯＮとＯＦＦする。【０００７】  当該コンセントとセンサーは固定設置でないことから任意の場所に移動することが自在であり、明暗センサーは延長コードとフードを具えているので、自然光を受光する場所にセンサーを設置し、フードを自然光が到来する方向に向ける。
このことで、コンセントが付加とする光源からの光を遮光して自然光を採光するので、前述した課題を解決するものである。
【考案の効果】
【０００８】  当該コンセントとセンサーを組み合わせることにより、負荷の設置範囲を広げて防犯目的や夜間の安全、及び節電を目的とする照明器具を明るさと暗さを検知してＯＮとＯＦＦする。よって人手を介す事なくフード付きセンサーが自動で明と暗を検知して負荷をＯＮとＯＦＦするので防犯目的や安全目的、夜間のみ必要とする負荷に対して不必要な電気の消費を省き、さらに社会のエコロジーに寄与する。【０００９】  また、本考案は屋内使用の他、当該コンセントとセンサーに防水機能を持たせて屋外の工事現場で人手を介すことなく電気をＯＮとＯＦＦするので夜間照明として安全を確保し、且つ不必要な電力消費を省ける。【００１０】  なお、当該コンセントのセンサー接続口に明暗センサーを接続しない時は、一般電気のコンセントとして任意の負荷で動作する。
【考案を実施するための最良の形態】
【００１１】  夜間において照明を必要とする場所に、本考案のコンセント、及び明暗センサーと延長コードを配置する。当該コンセントの明暗センサー接続口にセンサープラグを接続して延長コードを伸ばし、明暗センサーを自然光が入る場所に置き、フードの向きを、照明器具からの直接光を遮光して自然光を採光する方角に向ける。その後、防犯灯や照明プラグを当該コンセントの負荷口に取り付けることで夜間のみ照明が点灯する。
【実施例】
【００１２】  以下、図面に従って一実施例を説明する。７はコンセント本体で、１の明暗センサーから、５のセンサー延長コードを介した８のセンサープラグを４のセンサープラグ差込口へ接続する。【００１３】  １の明暗センサーを自然光が到来する場所に設置して２の遮光フードを到来光側に向ける。【００１４】  ３の電気差込みプラグを一般電気の差込口に差し込むことにより６の負荷接続口が明暗機能を有するので、照明器具を接続することで夜間のみ負荷が点灯する。【００１５】  なお、本考案のコンセント本体、明暗センサー、遮光フード、センサー延長コードの形状は図示例のものに限定されるものではなく、負荷は照明に限らない。
【産業上の利用可能性】
【００１６】  本考案は、コンセントに自動で明と暗の検知機能を付加するので、負荷として不必要な照明の点灯や電力の減少、及び夜間の犯罪防止対策や安全対策に役立ち、社会的および産業上の利点は大きい。
【図面の簡単な説明】
【００１７】
【図１】本考案における、節電防犯コンセント組み合わせ一実施例を示す全体図である。
【図２】本考案における、コンセント本体を示す単体図である。
【図３】本考案における、センサープラグ本体を示す単体図である。
【符号の説明】
【００１８】１  明暗センサー
２  遮光フード
３  電気差込プラグ
４  センサープラグ差込口
５  センサー延長コード
６  負荷接続口
７  コンセント本体
８  センサープラグ
【図１】
0003171759.tif 000003
【図２】
0003171759.tif 000004
【図３】
0003171759.tif 000005